(57)【要約】【課題】大気中に含まれる粉塵を分離除去するサイクロン式集塵装置に関して、高い集塵性能と低い圧力損失とを両立した集塵装置を提供することを目的とする。【解決手段】サイクロン式集塵装置１へ空気が導入されると、環状室２内で旋回流が生じ、空気中の粉塵に遠心力が加わる。その遠心力によって粉塵は空気から分離除去され、集塵室６内に落下し堆積する。粉塵が除去された空気は、内円筒７の下端から吸い込まれ、排気口８から排出される。この構成に加えて、吸気口３から通気口９外周に沿うように案内板１０を備えることで、吸気口３から流入した流入気流と環状室２内で生じた旋回流との衝突が緩和され、圧力損失を低減させることができる。これにより高い集塵性能と低い圧力損失とを両立した集塵装置を提供することができる。【選択図】図２
2010017675.tif 000002
【特許請求の範囲】
【請求項１】
環状室と前記環状室外周の接線方向に接続する吸気口、前記環状室の底面部に通気口、前記通気口に接続する外円筒、前記外円筒下方に接続する円錐筒、前記円錐筒の下方に集塵室、前記環状室の中央を外円筒の軸方向に突き抜ける内円筒、前記内円筒に接続する排気口を備えたサイクロン式集塵装置であって、前記環状室内部に前記吸気口からの風路を形成するように、前記吸気口から前記通気口に向けて案内板を備えたことを特徴とする集塵装置。
【請求項２】
外円筒の軸方向に垂直な面で切断した環状室の断面図において、案内板が前記環状室と吸気口との交点から通気口外周に向けて、曲線として備えられたことを特徴とする請求項１に記載の集塵装置。
【請求項３】
外円筒の軸方向に垂直な面で切断した環状室の断面図において、通気口の中心を原点とし、案内板の両端のなす角が９０°以下であることを特徴とする請求項２に記載の集塵装置。
【請求項４】
環状室の外周半径が連続的に減少して螺旋形状となっていることを特徴とする請求項１乃至３のいずれかに記載の集塵装置。
【請求項５】
環状室の螺旋形外周の半径ｒが、変化率αと最大半径ｒ０とを用いたｒ＝ｒ０×（１−θ×ｔａｎ（−α×π／１８０））の式にしたがって減少していくことを特徴とする請求項４に記載の集塵装置。
【請求項６】
変化率αが５〜８の範囲であることを特徴とする請求項５記載の集塵装置。
【請求項７】
環状室の底面が、外円筒の軸方向に垂直な面に対し、内側下方に向けて傾斜していることを特徴とする請求項１乃至６のいずれかに記載の集塵装置。
【請求項８】
環状室の底面と外円筒との接合部が曲面であることを特徴とする請求項７に記載の集塵装置。
【請求項９】
外円筒直径に対する内円筒直径の比率が０．６以上であることを特徴とする請求項１乃至８のいずれかに記載の集塵装置。
【請求項１０】
円錐筒の斜度が３０°以下であることを特徴とする請求項１乃至９のいずれかに記載の集塵装置。
【請求項１１】
下方に向かって外径が大きくなるフランジを内円筒の下端に備えたことを特徴とする請求項１乃至１０のいずれかに記載の集塵装置。
【請求項１２】
集塵室の内部に粘着性材料を備えたことを特徴とする請求項１乃至１１のいずれかに記載の集塵装置。
【請求項１３】
集塵室の内部に殺虫性材料を備えたことを特徴とする請求項１乃至１２のいずれかに記載の集塵装置。
【請求項１４】
集塵室の内部に抗菌、防カビ加工を施したことを特徴とする請求項１乃至１３のいずれかに記載の集塵装置。
【請求項１５】
集塵室に堆積したごみを自動的に集塵装置外へと排出する機構を備えたことを特徴とする請求項１乃至１４のいずれかに記載の集塵装置。
【請求項１６】
集塵室の内部に前記集塵室の底面に接した集塵板、前記集塵室の底面に開閉可能なごみ排出口を備え、前記集塵板は定期的に前記集塵室の底面上を移動して前記ごみ排出口近傍にごみを集め、前記ごみ排出口が開口してごみを装置外へと排出する機構を備えたことを特徴とする請求項１５に記載の集塵装置。
【請求項１７】
内円筒の下端から排気口の間にフィルタを備えたことを特徴とする請求項１乃至１６のいずれかに記載の集塵装置。
【発明の詳細な説明】
【技術分野】
【０００１】
本発明は、主として大気中に含まれる粉塵を分離除去する集塵装置に関する。
【背景技術】
【０００２】
従来のサイクロン式集塵装置は、粉塵を含む空気を吸引し、内部で旋回流を生じさせて粉塵を遠心分離する。気流は装置内部を旋回しながら下降していき、装置下部で反転して、装置内部の流路を通じて装置外へと流出する。
【０００３】
以下、従来のサイクロン式集塵装置の例を、図１１を参照しながら説明する。
【０００４】
集塵装置１０１は、外円筒１０２、その外周円の接線方向に接続する吸気口１０３、外円筒１０２の下端に接続する円錐筒１０４、円錐筒１０４の下端に接続する集塵室１０５、外円筒１０２の中央をその軸方向に突き抜けるように内円筒１０６、および排気口１０７を備えている。粉塵を含む空気は吸気口１０３から外円筒１０２に流入し、空気が外円筒１０２内を旋回するときに空気中の粉塵に遠心力を与え、粉塵は外円筒１０２内部の側面壁に引き付けられる。粉塵を含む空気はさらに円錐筒１０４の内壁面を旋回しながら降下し、集塵室１０５内に粉塵を落下させる。粉塵が除去された空気は内円筒１０６の下端から吸い上げてられて排気口１０７から排出される。
【０００５】
このような従来のサイクロン式集塵装置を住宅に適用したものとして、特許文献１がある。
【特許文献１】特開２００５−１２７５６０号公報
【発明の開示】
【発明が解決しようとする課題】
【０００６】
従来のサイクロン式集塵装置では、旋回下降流が反転して内円筒に流入する際に、流線の大きな変形と縮流が伴うため、ここで大きな圧力損失が発生し、空気を流すための送風手段に大きな負担を与えるという課題があった。したがって、高い集塵性能と低い圧力損失とを両立することが求められている。
【０００７】
本発明はこのような従来の課題を解決するものであり、高い集塵性能と低い圧力損失とを両立した集塵装置を提供することを目的とする。
【課題を解決するための手段】
【０００８】
上記目的を達成するために、本発明は、環状室と前記環状室外周の接線方向に接続する吸気口、前記環状室の底面部に通気口、前記通気口に接続する外円筒、前記外円筒下方に接続する円錐筒、前記円錐筒の下方に集塵室、前記環状室の中央を外円筒の軸方向に突き抜ける内円筒、前記内円筒に接続する排気口を備えたサイクロン式集塵装置であって、前記環状室内部に前記吸気口からの風路を形成するように、前記吸気口から前記通気口に向けて案内板を備えたことを特徴としている。
【０００９】
この構成により、高い集塵性能と低い圧力損失とを両立した集塵装置を提供することができる。
【発明の効果】
【００１０】
本発明によれば、高い集塵性能と低い圧力損失とを両立した集塵装置を提供することができる。
【発明を実施するための最良の形態】
【００１１】
本発明の請求項１記載の発明は、環状室と前記環状室外周の接線方向に接続する吸気口、前記環状室の底面部に通気口、前記通気口に接続する外円筒、前記外円筒下方に接続する円錐筒、前記円錐筒の下方に集塵室、前記環状室の中央を外円筒の軸方向に突き抜ける内円筒、前記内円筒に接続する排気口を備えたサイクロン式集塵装置であって、前記環状室内部に前記吸気口からの風路を形成するように、前記吸気口から前記通気口に向けて案内板を備えたことを特徴とする集塵装置である。
【００１２】
適当な長さの案内板を備えることによって、吸気口から流入した流入気流と、環状室内で生じた旋回流との衝突が緩和され、圧力損失を低減させることができる。また案内板の長さを長くすると、流路面積が小さくなって圧力損失が増大するものの、流速が増して集塵性能を高めることができる。
【００１３】
本発明の請求項２記載の発明は、外円筒の軸方向に垂直な面で切断した環状室の断面図において、案内板が前記環状室と吸気口との交点から通気口外周に向けて、曲線として備えられたことを特徴とする請求項１に記載の集塵装置である。
【００１４】
これにより、旋回流と案内板との衝突による圧力損失の増大を緩和することができる。
【００１５】
本発明の請求項３記載の発明は、外円筒の軸方向に垂直な面で切断した環状室の断面図において、通気口の中心を原点とし、案内板の両端のなす角が９０°以下であることを特徴とする請求項２に記載の集塵装置である。
【００１６】
案内板の両端のなす角が極端に小さい、すなわち案内板が極端に短いと、流入気流と旋回流との衝突を緩和する効果が十分得られず、圧力損失を低減させることができない。一方、案内板の両端のなす角が９０°より大きい、すなわち案内板が長すぎると、流路面積が小さくなって圧力損失の増大を招く。したがって高い集塵性能と低い圧力損失とを両立するためには、案内板の両端のなす角が９０°以下であることが好ましく、３０〜６０°の範囲であることがより好ましい。
【００１７】
本発明の請求項４記載の発明は、環状室の外周半径が連続的に減少して螺旋形状となっていることを特徴とする請求項１乃至３のいずれかに記載の集塵装置である。
【００１８】
これにより、環状室で生じる旋回流の流速が大きくなり、空気中の粉塵に与える遠心力を増大させて空気から分離しやすくすることができる。
【００１９】
本発明の請求項５記載の発明は、環状室の螺旋形外周の半径ｒが、変化率αと最大半径ｒ０とを用いたｒ＝ｒ０×（１−θ×ｔａｎ（−α×π／１８０））の式にしたがって減少していくことを特徴とする請求項４に記載の集塵装置である。
【００２０】
これにより、環状室で生じる旋回流の流速をより大きくすることができ、空気中の粉塵に与える遠心力を増大させて空気から分離しやすくすることができる。
【００２１】
本発明の請求項６記載の発明は、変化率αが５〜８の範囲であることを特徴とする請求項５記載の集塵装置である。
【００２２】
これにより、環状室で生じる旋回流の流速をより大きくすることができ、空気中の粉塵に与える遠心力を増大させて空気から分離しやすくすることができる。
【００２３】
本発明の請求項７記載の発明は、環状室の底面が、外円筒の軸方向に垂直な面に対し、内側下方に向けて傾斜していることを特徴とする請求項１乃至６のいずれかに記載の集塵装置である。
【００２４】
これにより、環状室から外円筒へ流れる空気の抵抗を低減することができる。
【００２５】
本発明の請求項８記載の発明は、環状室の底面と外円筒との接合部が曲面であることを特徴とする請求項７に記載の集塵装置である。
【００２６】
これにより、環状室から外円筒へ流れる空気の抵抗を低減することができる。
【００２７】
本発明の請求項９記載の発明は、外円筒直径に対する内円筒直径の比率が０．６以上であることを特徴とする請求項１乃至８のいずれかに記載の集塵装置である。
【００２８】
これにより、外円筒から円錐筒に降下した空気が、反転して内円筒を上昇する際に生じる圧力損失を低減することができる。
【００２９】
本発明の請求項１０記載の発明は、円錐筒の斜度が３０°以下であることを特徴とする請求項１乃至９のいずれかに記載の集塵装置である。
【００３０】
これにより、円錐筒を降下する空気の抵抗を低減することができる。
【００３１】
本発明の請求項１１記載の発明は、下方に向かって外径が大きくなるフランジを内円筒の下端に備えたことを特徴とする請求項１乃至１０のいずれかに記載の集塵装置である。
【００３２】
これにより、外円筒から円錐筒へ降下する空気と内円筒へ吸い上げられる空気との干渉を緩和することができる。
【００３３】
本発明の請求項１２記載の発明は、集塵室の内部に粘着性材料を備えたことを特徴とする請求項１乃至１１のいずれかに記載の集塵装置である。
【００３４】
これにより、集塵室に入った細かい粉塵を捕捉し、内円筒へ吸い上げられる空気の中に舞い戻ることを抑制することができる。
【００３５】
本発明の請求項１３記載の発明は、集塵室の内部に殺虫性材料を備えたことを特徴とする請求項１乃至１２のいずれかに記載の集塵装置である。
【００３６】
本発明の集塵装置を、吸気口が屋外に通じている状態で使用する場合、粉塵とともに小さな虫が捕らえられ、集塵室に集められる。その際、虫が生きたままだと自力で内円筒から集塵装置外、例えば室内へと逃げ出す恐れがある。集塵室の内部に殺虫性材料を備えることで、集塵室に捕らえた虫を殺し、室内などへの侵入を防ぐことができる。
【００３７】
本発明の請求項１４記載の発明は、集塵室の内部に抗菌、防カビ加工を施したことを特徴とする請求項１乃至１３のいずれかに記載の集塵装置である。
【００３８】
集塵室に粉塵や虫の死骸などが堆積すると、カビなどが発生して不衛生になるおそれがある。集塵室の内部に抗菌、防カビ加工を施すことで、カビなどの発生を遅らせ、不衛生になるのを防ぐことができる。
【００３９】
本発明の請求項１５記載の発明は、集塵室に堆積したごみを自動的に集塵装置外へと排出する機構を備えたことを特徴とする請求項１乃至１４のいずれかに記載の集塵装置である。
【００４０】
集塵室に粉塵や虫の死骸などが堆積すると、カビなどが発生して不衛生になるおそれがある。また粉塵などの堆積量が増えると、その一部が気流で舞い上がって飛散し、内円筒に吸い上げられるおそれがある。集塵室に堆積したごみを自動的に集塵装置外へと排出する機構を備えることで、集塵室に大量のごみが堆積するのを防ぎ、粉塵の飛散や集塵室内が不衛生になることを抑制することができる。
【００４１】
本発明の請求項１６記載の発明は、集塵室の内部に前記集塵室の底面に接した集塵板、前記集塵室の底面に開閉可能なごみ排出口を備え、前記集塵板は定期的に前記集塵室の底面上を移動して前記ごみ排出口近傍にごみを集め、前記ごみ排出口が開口してごみを装置外へと排出する機構を備えたことを特徴とする請求項１５に記載の集塵装置である。
【００４２】
これにより、集塵室に堆積したごみを簡単な機構で定期的に排出することができる。この場合、ごみ排出口は屋外に通じていることが好ましい。
【００４３】
本発明の請求項１７記載の発明は、内円筒の下端から排気口の間にフィルタを備えたことを特徴とする請求項１乃至１６のいずれかに記載の集塵装置である。
【００４４】
これにより、集塵室内に捕らえられなかった微細な粉塵や生きた虫などを捕集することができ、これらが排気口から排出されて室内などに侵入することを防ぐことができる。
【００４５】
以下、本発明の実施の形態について図面を参照しながら説明する。
【００４６】
（実施の形態１）
図１は本発明の実施の形態１の集塵装置の斜視図である。
【００４７】
サイクロン式の集塵装置１は、環状室２、環状室２の接線方向から接続する吸気口３、環状室２の底面と接続する外円筒４、外円筒４の下端に接続する円錐筒５、円錐筒５の下端に接続する集塵室６、環状室２の中央を外円筒４の軸方向に突き抜ける内円筒７、内円筒７に接続する排気口８から構成される。
【００４８】
送風手段によって集塵装置１へ空気が導入されると、環状室２内で旋回流が生じ、空気中の粉塵に遠心力が加わる。その遠心力によって粉塵は環状室２の外周壁方向へと移動し、空気とともに旋回しながら環状室２から外円筒４と内円筒７との間の空間に入る。さらに粉塵は円錐筒５の内壁面に沿って旋回しながら降下し、集塵室６内に落下する。粉塵が除去された空気は、内円筒７の下端から吸い込まれ、排気口８から排出される。
【００４９】
また、図２は環状室２を外円筒４の軸方向に垂直な面で切断した断面図である。
【００５０】
吸気口３から通気口９外周に沿うように案内板１０が備えられている。案内板１０の長さは、内円筒７の中心と案内板１０の両端とのなす角θG（°）で表される。
【００５１】
案内板１０によって、吸気口３から流入した流入気流と環状室２内で生じた旋回流との衝突が緩和され、圧力損失を低減させることができる。また案内板１０の長さを長くする（すなわちθGを大きくする）と、流路面積が小さくなって圧力損失が増大するものの、流速が増して集塵性能を高めることができる。案内板１０は流入気流と旋回流との衝突を緩和し圧力損失を低減できれば、どのような形状でも構わないが、図２のように吸気口３から通気口９外周に向けて曲線として備えられることが、圧力損失低減の観点から好ましい。
【００５２】
図３は、螺旋半径の変化率α＝６．５のとき、案内板の長さθGに対する集塵効率と圧力損失の関係を示すグラフである。また図４は、螺旋半径の変化率α＝９．５のとき、案内板の長さθGに対する集塵効率と圧力損失の関係を示すグラフである。なお螺旋半径の変化率αとは、環状室２の外周が一定の割合で半径が変化する螺旋を描くとき、その螺旋半径の変化率を表す定数である。
【００５３】
案内板の長さθGを大きくしていくと集塵効率は一定だが、圧力損失は小さくなって極小値を迎え、その後急激に増大する。これは次のように考えられる。θGが極端に小さい、すなわち案内板が極端に短いと、流入気流と旋回流との衝突を緩和する効果が十分得られず、圧力損失を低減させることができない。一方、θGが大きすぎる、すなわち案内板が長すぎると、流路面積が小さくなって圧力損失の増大を招く。また旋回流は環状室２外周に沿って次第に降下していくため、空気の流れ方向に対して、流入気流と旋回流との衝突で生じる圧力損失は徐々に小さくなっていく。したがって案内板を長くしすぎても、圧力損失を低減させる効果は得られない。αの値によって多少異なるが、高い集塵性能と低い圧力損失とを両立するためには、θGは９０°以下であることが好ましく、３０〜６０°がより好ましい。なお集塵効率を測定する際は、模擬粉塵としてＪＩＳ  Ｚ８９０１試験用粉体１の１５種を使用した。
【００５４】
図５は図２の断面図を簡単に記した図である。
【００５５】
環状室２の外周は螺旋を描くようにその半径ｒが小さくなる形状であるから、環状室２内で空気が旋回するとき、空気は進行するにしたがって徐々に加速し、空気中の粉塵に加わる遠心力が大きくなって、空気と粉塵の分離が促進される。一方、螺旋の半径が小さくなると空気抵抗が大きくなり、圧力損失が増大する。例えば環状室２の吸気口３側から、空気の流れる方向に外周の半分までの半径がｒ＝ｒ０、残り半分がｒ＝０．７×ｒ０のように不連続的に半径が小さくなる螺旋形状の場合、その不連続点における急な流路変化が大きな空気抵抗となって、圧力損失が増大する。そこで環状室２の外周半径が吸気口３側から、空気の流れる方向に一定の割合で減少するような螺旋形状であれば、環状室２の外周壁と空気との間で生じる抵抗は外周方向全域で均一となって、圧力損失の増大を抑制することができる。螺旋半径の変化率を定数αとしたとき、図５中の半径ｒは、最大半径ｒ０に対し、中心角θの関数としてｒ＝ｒ０×（１−θ×ｔａｎ（−α×π／１８０））で表される。式中において、θは角度（ラジアン）、πは円周率である。
【００５６】
図６はαと集塵効率との関係を示すグラフである。αが５〜８のときに集塵効率が高く、α＝６．５がより好ましい。αが５よりも小さいときは、吸気口３からの流入気流と環状室２で生じた旋回流とが合流する場所で乱流が発生するため、粉塵に対して十分な遠心力が与えられないと考えられる。逆にαが８よりも大きくなると、粉塵に与える遠心力が大きくなり、粉塵が環状室２を一周して、吸気口３から入ってくる空気中の粉塵と再び混合されてしまい、かえって集塵効率が悪くなると考えられる。
【００５７】
また環状室２の底面を、外円筒４の軸方向に垂直な面に対し、内側下方に向けて傾斜させても良い。これにより、環状室２から外円筒４へ向かって流れる空気が徐々に下方へ移動するため、空気の抵抗を抑えることができ、集塵装置の圧力損失を低減することができる。また環状室２の底面と外円筒４との接合部を曲面としても良い。これにより空気の抵抗をより抑えることができ、圧力損失の低減が期待できる。
【００５８】
図７は図１の集塵装置１を外円筒４の軸方向で切断した模式的断面図である。また、図８は外円筒直径ｄ１と内円筒直径ｄ２の比率ｄ２／ｄ１に対する集塵効率と圧力損失の関係を示すグラフである。ｄ２／ｄ１の値が大きくなると、集塵効率はわずかに低くなるがほぼ一定である。一方、圧力損失は急激に小さくなり、０．６以上でほぼ一定となる。ｄ２／ｄ１の値が小さい場合、外円筒４と内円筒７の間の空間が大きいため、円錐筒５へ降下していく空気が流れやすい反面、内円筒７に吸い込まれる際の抵抗が大きくなる。したがって、比率ｄ２／ｄ１が０．６以上であれば高い集塵性能と低い圧力損失とを両立することができる。ただしｄ２の値がｄ１の値に近づき過ぎると、円錐筒５へ向かう空気の抵抗が大きくなるため、比率ｄ２／ｄ１は０．９以下とするのが良い。
【００５９】
図９は、図７中の円錐筒５の斜度θCに対する集塵効率と圧力損失の関係を示すグラフである。θCが３０°以上になると集塵効率も、圧力損失も悪化する傾向が見られる。その理由は明確でないが、急激に流路が狭まることによる弊害と考えられる。したがって円錐筒５の斜度θCは３０°以下にするのが好ましい。
【００６０】
また内円筒７の下端に、下方に向かって外径が大きくなるフランジを備えても良い。これにより、外円筒４から円錐筒５へ降下する空気と内円筒７へ吸い上げられる空気との干渉を緩和することができる。
【００６１】
また集塵室６の内部に粘着性材料を備えても良い。これにより、集塵室６に入った細かい粉塵を捕捉し、内円筒７へ吸い上げられる空気の中に舞い戻ることを抑制することができる。
【００６２】
また集塵室６の内部に殺虫性材料を備えても良い。集塵装置１を、吸気口３が屋外に通じている状態で使用する場合、粉塵とともに小さな虫が捕らえられ、集塵室６に集められる。その際、虫が生きたままだと自力で内円筒７から集塵装置１外、例えば室内へと逃げ出す恐れがある。集塵室６の内部に殺虫性材料を備えることで、集塵室６に捕らえた虫を殺し、室内などへの侵入を防ぐことができる。
【００６３】
また集塵室６の内部に抗菌、防カビ加工を施しても良い。集塵室６に粉塵や虫の死骸などが堆積すると、カビなどが発生して不衛生になるおそれがある。集塵室６の内部に抗菌、防カビ加工を施すことで、カビなどの発生を遅らせ、不衛生になるのを防ぐことができる。
【００６４】
また集塵室６に堆積したごみを自動的に集塵装置１外へと排出する機構を備えても良い。集塵室６に粉塵や虫の死骸などが堆積すると、カビなどが発生して不衛生になるおそれがある。また粉塵などの堆積量が増えると、その一部が気流で舞い上がって飛散し、内円筒に吸い上げられるおそれがある。集塵室６に堆積したごみを自動的に集塵装置１外へと排出する機構を備えることで、集塵室６に大量のごみが堆積するのを防ぎ、粉塵の飛散や集塵室６内が不衛生になることを抑制することができる。
【００６５】
図１０は、自動的にごみを排出する機構を備えた場合の集塵室６を、水平に切断した模式的断面図である。集塵室６の底面に接して集塵板１１が備えられている。集塵板１１は断面図ではＳ字を描く形状であり、その中央を回転可能となるように固定されている。また集塵室６の底面には開閉可能なごみ排出口１２が備えられている。集塵板１１は定期的に固定部を中心に回転し、集塵室６内に堆積した粉塵をかき集め、同時にごみ排出口１２が開口して集塵装置１外へ排出する。ごみ排出口１２は直接または配管などを経て屋外に通じていることが好ましい。
【００６６】
また内円筒７の下端から排気口８の間にフィルタを備えても良い。フィルタを備える位置は、内円筒７の下端から排気口８の間の任意の位置で構わない。フィルタとしては、例えば目の粗い編み目状のフィルタでも、ＨＥＰＡフィルタなどの高性能フィルタでも構わない。これにより、集塵室６内に捕らえられなかった微細な粉塵や生きた虫などを捕集することができ、これらが排気口８から排出されて室内などに侵入することを防ぐことができる。
【産業上の利用可能性】
【００６７】
本発明の集塵装置は、建物の換気や空調のために屋外の空気を室内に取り入れる際、空気中の粉塵を捕集し、浄化して室内に給気するので有用である。また室内の空気を循環しながら使用するエアコンや空気清浄機にも適用することができる。
【図面の簡単な説明】
【００６８】
【図１】本発明の実施の形態１の集塵装置の斜視図
【図２】本発明の実施の形態１の環状室の断面図
【図３】本発明の実施の形態１の案内板の長さθGに対する集塵効率と圧力損失の関係を示すグラフ（α＝６．５）
【図４】本発明の実施の形態１の案内板の長さθGに対する集塵効率と圧力損失の関係を示すグラフ（α＝９．５）
【図５】本発明の実施の形態１の環状室の模式的断面図
【図６】本発明の実施の形態１の螺旋半径の変化率αと集塵効率との関係を示すグラフ
【図７】本発明の実施の形態１の集塵装置の模式的断面図
【図８】本発明の実施の形態１の外円筒直径と内円筒直径の比率ｄ２／ｄ１に対する集塵効率と圧力損失の関係を示すグラフ
【図９】本発明の実施の形態１の円錐筒の斜度θCに対する集塵効率と圧力損失の関係を示すグラフ
【図１０】本発明の実施の形態１の集塵室の模式的断面図
【図１１】従来の集塵装置を示す斜視図
【符号の説明】
【００６９】
１      集塵装置
２      環状室
３      吸気口
４      外円筒
５      円錐筒
６      集塵室
７      内円筒
８      排気口
９      通気口
１０    案内板
１１    集塵板
１２    ごみ排出口
１０１  集塵装置
１０２  外円筒
１０３  吸気口
１０４  円錐筒
１０５  集塵室
１０６  内円筒
１０７  排気口
【図１】
2010017675.tif 000003
【図２】
2010017675.tif 000004
【図３】
2010017675.tif 000005
【図４】
2010017675.tif 000006
【図５】
2010017675.tif 000007
【図６】
2010017675.tif 000008
【図７】
2010017675.tif 000009
【図８】
2010017675.tif 000010
【図９】
2010017675.tif 000011
【図１０】
2010017675.tif 000012
【図１１】
2010017675.tif 000013